(57)【特許請求の範囲】
【請求項１】
主熱源としての給湯器と、補助熱源によって生成された温水を貯留する蓄熱槽と、前記蓄熱槽から送出された温水に、必要に応じて上水を混合して前記給湯器に送出する混合調節弁が搭載された給湯接続ユニットとを備え、
前記蓄熱槽から目標温度以上の温水が前記給湯接続ユニットに送出される場合は、前記給湯接続ユニットが上水を混合することによって目標温度の温水を生成し、
前記蓄熱槽から目標温度を下回る温水が前記給湯接続ユニットに送出される場合は、前記給湯接続ユニットから送出される温水を給湯器が加熱することによって目標温度の温水を生成するようにした給湯システムにおいて、
前記給湯器の運転スイッチがＯＦＦされた状態であっても、前記蓄熱槽から前記給湯接続ユニットに温水を送出可能な構成を採用し、前記給湯器の運転スイッチがＯＦＦされた状態では、前記給湯接続ユニットが、前記蓄熱槽から送出される温水に上水を混合することによって、可能な限り目標温度の温水を生成するようにし、
前記運転スイッチがＯＦＦされた状態における目標温度を、前記運転スイッチがＯＦＦされる直前の給湯設定温度に設定するが、前記運転スイッチがＯＦＦされる直前の給湯設定温度が高温に設定されている場合は、その給湯設定温度を下回る所定温度に目標温度を設定するようにしたことを特徴とする給湯システム。
【請求項２】
主熱源としての給湯器と、補助熱源によって生成された温水を貯留する蓄熱槽と、前記蓄熱槽から送出された温水に、必要に応じて上水を混合して前記給湯器に送出する混合調節弁が搭載された給湯接続ユニットとを備え、
前記蓄熱槽から目標温度以上の温水が前記給湯接続ユニットに送出される場合は、前記給湯接続ユニットが上水を混合することによって目標温度の温水を生成し、
前記蓄熱槽から目標温度を下回る温水が前記給湯接続ユニットに送出される場合は、前記給湯接続ユニットから送出される温水を給湯器が加熱することによって目標温度の温水を生成するようにした給湯システムにおいて、
前記給湯器の運転スイッチがＯＦＦされた状態であっても、前記蓄熱槽から前記給湯接続ユニットに温水を送出可能な構成を採用し、前記給湯器の運転スイッチがＯＦＦされた状態では、前記給湯接続ユニットが、前記蓄熱槽から送出される温水に上水を混合することによって、可能な限り目標温度の温水を生成するようにし、
給湯中に前記給湯器の運転スイッチが操作された場合は、給湯が停止されるまでの間、前記運転スイッチの操作直前の目標温度をそのまま維持するようにしたことを特徴とする給湯システム。
【請求項３】
主熱源としての給湯器と、補助熱源によって生成された温水を貯留する蓄熱槽と、前記蓄熱槽から送出された温水に、必要に応じて上水を混合して前記給湯器に送出する混合調節弁が搭載された給湯接続ユニットとを備え、
前記蓄熱槽から目標温度以上の温水が前記給湯接続ユニットに送出される場合は、前記給湯接続ユニットが上水を混合することによって目標温度の温水を生成し、
前記蓄熱槽から目標温度を下回る温水が前記給湯接続ユニットに送出される場合は、前記給湯接続ユニットから送出される温水を給湯器が加熱することによって目標温度の温水を生成するようにした給湯システムにおいて、
前記給湯器の運転スイッチがＯＦＦされた状態であっても、前記蓄熱槽から前記給湯接続ユニットに温水を送出可能な構成を採用し、前記給湯器の運転スイッチがＯＦＦされた状態では、前記給湯接続ユニットが、前記蓄熱槽から送出される温水に上水を混合することによって、可能な限り目標温度の温水を生成するようにし、
前記給湯器の運転スイッチがＯＦＦされた状態で、目標温度を下回る温水が供給されている場合において、前記運転スイッチがＯＮされると、給湯が停止されるまでの間は、前記運転スイッチがＯＮされる直前に供給されていた温水の温度を目標温度に設定するようにしたことを特徴とする給湯システム。
【請求項４】
主熱源としての給湯器と、補助熱源によって生成された温水を貯留する蓄熱槽と、前記蓄熱槽から送出された温水に、必要に応じて上水を混合して前記給湯器に送出する混合調節弁が搭載された給湯接続ユニットとを備え、
前記蓄熱槽から目標温度以上の温水が前記給湯接続ユニットに送出される場合は、前記給湯接続ユニットが上水を混合することによって目標温度の温水を生成し、
前記蓄熱槽から目標温度を下回る温水が前記給湯接続ユニットに送出される場合は、前記給湯接続ユニットから送出される温水を給湯器が加熱することによって目標温度の温水を生成するようにした給湯システムにおいて、
前記給湯器の運転スイッチがＯＦＦされた状態であっても、前記蓄熱槽から前記給湯接続ユニットに温水を送出可能な構成を採用し、前記給湯器の運転スイッチがＯＦＦされた状態では、前記給湯接続ユニットが、前記蓄熱槽から送出される温水に上水を混合することによって、可能な限り目標温度の温水を生成するようにし、
前記混合調節弁は、全開で前記蓄熱槽から送出された温水のみを前記給湯器に送出し、全閉で上水のみを前記給湯器に送出するようになっており、
前記給湯器の運転スイッチがＯＦＦされた状態で給湯を行っている場合において、前記運転スイッチがＯＮされると、前記混合調節弁を全閉または所定開度まで強制的に閉弁した後、または、前記運転スイッチがＯＮされた時点における弁開度から所定開度だけ前記混合調節弁を強制的に閉弁した後、目標温度制御を行うようにしたことを特徴とする給湯システム。
【請求項５】
主熱源としての給湯器と、補助熱源によって生成された温水を貯留する蓄熱槽と、前記蓄熱槽から送出された温水に、必要に応じて上水を混合して前記給湯器に送出する混合調節弁が搭載された給湯接続ユニットとを備え、
前記蓄熱槽から目標温度以上の温水が前記給湯接続ユニットに送出される場合は、前記給湯接続ユニットが上水を混合することによって目標温度の温水を生成し、
前記蓄熱槽から目標温度を下回る温水が前記給湯接続ユニットに送出される場合は、前記給湯接続ユニットから送出される温水を給湯器が加熱することによって目標温度の温水を生成するようにした給湯システムにおいて、
前記給湯器の運転スイッチがＯＦＦされた状態であっても、前記蓄熱槽から前記給湯接続ユニットに温水を送出可能な構成を採用し、前記給湯器の運転スイッチがＯＦＦされた状態では、前記給湯接続ユニットが、前記蓄熱槽から送出される温水に上水を混合することによって、可能な限り目標温度の温水を生成するようにし、
前記給湯器の運転スイッチがＯＦＦされた状態で給湯を行っている場合において、前記運転スイッチがＯＮされると、目標温度を一時的に下げるようにしたことを特徴とする給湯システム。
【請求項６】
主熱源としての給湯器と、補助熱源によって生成された温水を貯留する蓄熱槽と、前記蓄熱槽から送出された温水に、必要に応じて上水を混合して前記給湯器に送出する混合調節弁が搭載された給湯接続ユニットとを備え、
前記蓄熱槽から目標温度以上の温水が前記給湯接続ユニットに送出される場合は、前記給湯接続ユニットが上水を混合することによって目標温度の温水を生成し、
前記蓄熱槽から目標温度を下回る温水が前記給湯接続ユニットに送出される場合は、前記給湯接続ユニットから送出される温水を給湯器が加熱することによって目標温度の温水を生成するようにした給湯システムにおいて、
前記給湯器の運転スイッチがＯＦＦされた状態であっても、前記蓄熱槽から前記給湯接続ユニットに温水を送出可能な構成を採用し、前記給湯器の運転スイッチがＯＦＦされた状態では、前記給湯接続ユニットが、前記蓄熱槽から送出される温水に上水を混合することによって、可能な限り目標温度の温水を生成するようにし、
前記給湯器の運転スイッチがＯＦＦされた状態で給湯を行っている場合において、前記運転スイッチがＯＮされた時点でその旨を報知し、その時点から所定時間経過後に前記給湯器による加熱を開始させるようにしたことを特徴とする給湯システム。
【請求項７】
主熱源としての給湯器と、補助熱源によって生成された温水を貯留する蓄熱槽と、前記蓄熱槽から送出された温水に、必要に応じて上水を混合して前記給湯器に送出する混合調節弁が搭載された給湯接続ユニットとを備え、
前記蓄熱槽から目標温度以上の温水が前記給湯接続ユニットに送出される場合は、前記給湯接続ユニットが上水を混合することによって目標温度の温水を生成し、
前記蓄熱槽から目標温度を下回る温水が前記給湯接続ユニットに送出される場合は、前記給湯接続ユニットから送出される温水を給湯器が加熱することによって目標温度の温水を生成するようにした給湯システムにおいて、
前記給湯器の運転スイッチがＯＦＦされた状態であっても、前記蓄熱槽から前記給湯接続ユニットに温水を送出可能な構成を採用し、前記給湯器の運転スイッチがＯＦＦされた状態では、前記給湯接続ユニットが、前記蓄熱槽から送出される温水に上水を混合することによって、可能な限り目標温度の温水を生成するようにし、
給湯停止状態で前記給湯器の運転スイッチが操作された時点または前記運転スイッチが操作された後に給湯が停止された時点で、異常時における前記給湯接続ユニットの安全動作が解除されるようになっていることを特徴とする給湯システム。
【発明の詳細な説明】
【０００１】
【発明の属する技術分野】
この発明は、太陽熱等の補助熱源によって生成された温水を蓄熱槽に貯留しておき、この温水を、上水と混合可能な給湯接続ユニットを介して、給湯器に送出するようにした給湯システムに関する。
【０００２】
【従来の技術】
補助熱源を利用した給湯システムとしては、例えば、太陽熱を利用して温水を生成する太陽熱利用温水器と給湯器とを組み合わせた給湯システムが従来から一般的に知られている。
【０００３】
こういった、給湯システムでは、図４に示すように、太陽熱を利用して生成された温水を貯留する蓄熱槽５１を備えている太陽熱利用温水器５０と給湯器７０とが、給湯接続ユニット６０を介して接続されており、給湯時には、太陽熱利用温水器５０の蓄熱槽５１に貯留された温水が給湯接続ユニット６０を介して給湯器７０に送出されるが、給湯接続ユニット６０は、蓄熱槽５１に貯留された温水を単に給湯器７０に送出するだけではなく、必要に応じて、蓄熱槽５１から送出される温水に上水を混合した状態で給湯器７０に送出することができるように、給湯接続ユニット６０には、全開で蓄熱槽５１から送出された温水のみを給湯器７０に送出し、全閉で上水のみを給湯器７０に送出する混合調節弁６１が搭載されている。
【０００４】
従って、給湯器７０に対して設定された給湯設定温度以上の温水が蓄熱槽５１に貯留されている場合は、給湯接続ユニット６０の混合調節弁６１が、蓄熱槽から送出される給湯設定温度以上の温水と上水とを適宜混合することによって、目標温度である給湯設定温度の温水を生成し、これを給湯器７０に送出する。一方、給湯設定温度以上の温水が蓄熱槽５１に貯留されていない場合は、給湯接続ユニット６０の混合調節弁６１が、蓄熱槽５１から送出される給湯設定温度を下回る温水を、上水と適宜混合することによって、固定温度まで強制的に下げた状態で給湯器７０に送出し、給湯器７０のバーナーを燃焼させることによって目標温度である給湯設定温度の温水を生成することになる。
【０００５】
また、給湯接続ユニット６０には、同図に示すように、蓄熱槽５１と混合調節弁６１の温水入口側とを接続する温水供給管８１に電磁弁６２が設置されており、給湯器７０の運転スイッチがＯＮされていない状態では、電磁弁６２を閉じることによって蓄熱槽５１からの温水の送出を強制的に遮断するようになっている。このため、従来の給湯システムでは、蓄熱槽５１に貯留された温水を利用して給湯を行おうとすると、給湯器７０の運転スイッチを必ずＯＮしなければならなかった。
【０００６】
【発明が解決しようとする課題】
ところで、こういった給湯システムでは、上述したように、給湯設定温度以上の温水が蓄熱槽５１に貯留されていない場合は、蓄熱槽５１から送出される温水を、給湯接続ユニット６０が上水と混合することで固定温度まで一旦下げた後、給湯器７０が再度加熱することによって、目標温度である給湯設定温度の温水を生成することになっているので、蓄熱槽５１に貯留されている温水の温度が給湯設定温度より僅かに低いような場合であっても、同様の動作を必ず行うことになり、蓄熱槽５１に貯留されている温水を効率良く利用した給湯運転を行うことができなかった。
【０００７】
そこで、この発明の課題は、蓄熱槽に貯留されている温水を効率良く利用した給湯運転を行うことのできる給湯システムを提供することにある。
【０００８】
【課題を解決するための手段及びその効果】
上記の課題を解決するため、請求項１に係る発明は、主熱源としての給湯器と、補助熱源によって生成された温水を貯留する蓄熱槽と、前記蓄熱槽から送出された温水に、必要に応じて上水を混合して前記給湯器に送出する混合調節弁が搭載された給湯接続ユニットとを備え、前記蓄熱槽から目標温度以上の温水が前記給湯接続ユニットに送出される場合は、前記給湯接続ユニットが上水を混合することによって目標温度の温水を生成し、前記蓄熱槽から目標温度を下回る温水が前記給湯接続ユニットに送出される場合は、前記給湯接続ユニットから送出される温水を給湯器が加熱することによって目標温度の温水を生成するようにした給湯システムにおいて、前記給湯器の運転スイッチがＯＦＦされた状態であっても、前記蓄熱槽から前記給湯接続ユニットに温水を送出可能な構成を採用し、前記給湯器の運転スイッチがＯＦＦされた状態では、前記給湯接続ユニットが、前記蓄熱槽から送出される温水に上水を混合することによって、可能な限り目標温度の温水を生成するようにし、前記運転スイッチがＯＦＦされた状態における目標温度を、前記運転スイッチがＯＦＦされる直前の給湯設定温度に設定するが、前記運転スイッチがＯＦＦされる直前の給湯設定温度が高温に設定されている場合は、その給湯設定温度を下回る所定温度に目標温度を設定するようにしたのである。
【０００９】
以上のように、この給湯システムでは、給湯器の運転スイッチがＯＦＦされた状態であっても、蓄熱槽から給湯接続ユニットに温水を送出可能な構成を採用したので、例えば、蓄熱槽に貯留された温水の温度が給湯設定温度より僅かに低いような場合には、給湯器の運転スイッチをＯＦＦした状態で給湯を行うことで、給湯器による加熱を全く行うことなく、給湯設定温度に近い温度状態の温水を供給することが可能となり、蓄熱槽に貯留された温水を最大限に利用した省エネルギ運転を行うことができる。
【００１０】
また、給湯器の運転スイッチがＯＦＦされた状態では、給湯接続ユニットが、蓄熱槽から送出される温水に上水を混合することによって、可能な限り目標温度の温水を生成するようにしているので、蓄熱槽に目標温度以上の温水が貯留されている状態で、給湯器の運転スイッチをＯＮすることなく給湯を行った場合でも、目標温度以上の温水が給湯器に送出されることがない。
【００１２】
また、この給湯システムでは、前記運転スイッチがＯＦＦされた状態における目標温度を、前記運転スイッチがＯＦＦされる直前の給湯設定温度に設定するようになっているので、運転スイッチをＯＮした状態でユーザが予めお好みの給湯設定温度に設定しておくことによって、運転スイッチがＯＦＦの状態であっても、ユーザのお好みの温度で給湯を行うことができる。
【００１３】
ただし、運転スイッチがＯＦＦされる直前の給湯設定温度が高温に設定されている場合は、ユーザが高温設定になっていることを確認することなく給湯を開始するおそれがあるので、前記運転スイッチがＯＦＦされる直前の給湯設定温度が高温に設定されている場合は、その給湯設定温度を下回る所定温度に目標温度を設定するようにしておくことが望ましい。
【００１４】
また、こういった給湯システムでは、給湯器の運転スイッチをＯＦＦする直前の給湯設定温度が高温に設定されていたため、給湯器の運転スイッチをＯＦＦした状態では、給湯設定温度を下回る所定温度に目標温度が設定されており、こういった低い目標温度の温水が供給されているような場合に運転スイッチがＯＮされると、給湯器が加熱することによって高温に設定されている給湯設定温度の温水が供給され始めることになり、逆に、通常の給湯設定温度は浴槽への自動注湯設定温度より高い温度に設定されている（台所で湯水混合水栓を使用する家庭が多く、高温側に給湯設定温度を設定する場合が少なくない）が、浴槽への自動注湯を行いながらカラン等から給湯を行っていたため、給湯設定温度より低い自動注湯設定温度の温水がカラン等から供給されているような場合に運転スイッチがＯＦＦされると、自動注湯設定温度より高い給湯設定温度の温水が供給され始めるといった具合に、給湯中に運転スイッチが操作されると、供給されている温水温度が大きく変動するおそれがあるので、請求項２に係る発明の給湯システムのように、給湯中に前記給湯器の運転スイッチが操作された場合は、給湯が停止されるまでの間、前記運転スイッチの操作直前の目標温度をそのまま維持するようにしておくことが望ましい。
【００１５】
また、給湯器の運転スイッチをＯＦＦする直前の給湯設定温度はある程度高い温度に設定されていたが、蓄熱槽には給湯設定温度を下回る使用に適した温度の温水が貯留されていたため、偶然にも快適に給湯を行っているような場合に運転スイッチがＯＮされると、給湯器が加熱することによって高い温度に設定されている給湯設定温度の温水が供給され始めることになるので、そのような場合は、請求項３に係る発明の給湯システムのように、前記給湯器の運転スイッチがＯＦＦされた状態で、目標温度を下回る温水が供給されている場合において、前記運転スイッチがＯＮされると、給湯が停止されるまでの間は、前記運転スイッチがＯＮされる直前に供給されていた温水の温度を目標温度に設定するようにしておくことが望ましい。
【００１６】
このように、給湯中に給湯器の運転スイッチが操作された場合は、給湯が停止されるまでの間、運転スイッチの操作直前の目標温度をそのまま維持すると共に、目標温度を下回る温水が供給されている場合には、さらに、実際に供給されている温水温度を目標温度に設定することが理想的であるが、請求項４に係る発明の給湯システムのように、前記混合調節弁が、全開で前記蓄熱槽から送出された温水のみを前記給湯器に送出し、全閉で上水のみを前記給湯器に送出するようになっており、前記給湯器の運転スイッチがＯＦＦされた状態で給湯を行っている場合において、前記運転スイッチがＯＮされると、前記混合調節弁を全閉または所定開度まで強制的に閉弁した後、または、前記運転スイッチがＯＮされた時点における弁開度から所定開度だけ前記混合調節弁を強制的に閉弁した後、目標温度制御を行うようにしたり、請求項５に係る発明の給湯システムのように、前記給湯器の運転スイッチがＯＦＦされた状態で給湯を行っている場合において、前記運転スイッチがＯＮされると、目標温度を一時的に下げるようにしておくことで、運転スイッチがＯＮされた後、給湯温度が一時的に低下するので、これによって、給湯温度が変動する可能性があることをユーザに知らせ、その後の給湯温度の変動に適切に対処させるようにしてもよい。
【００１７】
さらに、請求項６に係る発明の給湯システムのように、前記給湯器の運転スイッチがＯＦＦされた状態で給湯を行っている場合において、前記運転スイッチがＯＮされた時点でその旨を報知し、その時点から所定時間経過後に前記給湯器による加熱を開始させるようにしておくと、給湯温度が変動する可能性があることをユーザにより確実に知らせることができると共に、その後の給湯温度の変動に適切に対処するための時間的余裕をユーザに与えることができる。
【００１８】
また、請求項７に係る発明の給湯システムのように、給湯停止状態で前記給湯器の運転スイッチが操作された場合または前記運転スイッチが操作された後に給湯が停止された場合に、異常時における前記給湯接続ユニットの安全動作が解除されるようになっているものにあっては、必ず、給湯が停止された状態で給湯接続ユニットの安全動作が解除されるので、給湯中に給湯接続ユニットの安全動作が解除されることによって発生する高温出湯等の危険を確実に防止することができる。
【００１９】
【発明の実施の形態】
以下、実施の形態について図面を参照して説明する。図１は、補助熱源として太陽熱を利用した給湯システム１の概略構成を示している。この給湯システム１は、同図に示すように、太陽熱利用温水器１０と給湯器３０とが給湯接続ユニット２０を介して接続されたものであり、太陽熱利用温水器１０によって生成された温水が給湯接続ユニット２０を介して給湯器３０に送出されるようになっている。
【００２０】
前記太陽熱利用温水器１０は、ソーラー熱交換器１１と密閉式の蓄熱槽１４とを備えており、蓄熱槽１４には、その下端部に上水を供給するための給水管１５が接続されていると共に、上端部には貯留された温水を給湯接続ユニット２０に送出するための温水供給管１６が接続されている。
【００２１】
前記ソーラー熱交換器１１には、その入口側と出口側とを接続するソーラー配管１２によって熱媒体の循環経路が形成されており、このソーラー配管１２は、部分的に蓄熱槽１４内に導入された熱交換部１３を有している。従って、ソーラー熱交換器１１によって加熱された熱媒体は、ソーラー配管１２を通って蓄熱槽１４内に導かれ、熱交換部１３で蓄熱槽１４内の水と熱交換を行うことで、蓄熱槽１４内に温水が生成されるようになっている。
【００２２】
前記給湯接続ユニット２０は、同図に示すように、給水管２２を介して供給される上水と、蓄熱槽１４から温水供給管１６を介して供給される温水とを、必要に応じて混合する混合調節弁２１を備えており、蓄熱槽１４から送出された温水は、そのまま又は上水と適宜混合された状態で混合調節弁２１の出口側に接続された温水配管２３を介して給湯器３０に送出され、給湯器３０の熱交換器３１を通って給湯されるようになっている。なお、混合調節弁２１は、全開状態で、蓄熱槽１４から温水供給管１６を介して供給される温水のみを給湯器３０に送出し、逆に、全閉状態では、給水管２２を介して供給される上水のみを給湯器３０に送出するようになっている。
【００２３】
また、給湯接続ユニット２０には、混合調節弁２１の上水入口側に接続された給水管２２と混合調節弁２１の温水出口側に接続された温水配管２３とを相互に接続するバイパス管２４が設けられており、このバイパス管２４には、通電状態でバイパス管２４の流路を遮断するダイヤフラム方式の電磁弁２５が設置されている。
【００２４】
また、混合調節弁２１に接続された温水供給管１６及び温水配管２３には、蓄熱槽１４から送出される温水の温度（以下、入湯温度という。）Ｔｓを検出するための入湯温度センサ２６、給湯接続ユニット２０に送出される上水の温度（以下、上水温度という。）Ｔｗを検出するための上水温度センサ２７及び給湯接続ユニット２０から送出される温水の温度（以下、出湯温度という。）Ｔｏを検出するための出湯温度センサ２８が設置されている。
【００２５】
前記給湯接続ユニット２０及び給湯器３０には、シリアルインターフェースを介して相互に通信可能なコントローラ２０ａ、３０ａがそれぞれ搭載されていると共に、給湯器３０の操作リモコン４０には、シリアルインターフェースを介して給湯器３０のコントローラ３０ａと相互に通信可能なコントローラ４０ａが搭載されており、これらのコントローラ２０ａ、３０ａ、４０ａが相互に連携をとりながら、給湯システム１の運転動作を統括的に制御している。
【００２６】
給湯接続ユニット２０のコントローラ２０ａには、入湯温度センサ２６、上水温度センサ２７及び出湯温度センサ２８からの温度検出信号が入力されると共に、操作リモコン４０によって設定された給湯設定温度Ｔｅ、浴槽への自動注湯設定温度Ｔｂ及び運転スイッチ信号、バーナー燃焼信号、最低作動流量以上の水流を検知してＯＮする水流信号等が給湯器３０のコントローラ３０ａから送信されるようになっており、これらの温度検出信号、給湯設定温度Ｔｅ及び自動注湯設定温度Ｔｂ等に基づいて、給湯接続ユニット２０のコントローラ２０ａが混合調節弁２１を制御するようになっている。
【００２７】
以上のように、この給湯システム１では、給湯器３０の運転スイッチがＯＦＦされたときに流路を遮断する電磁弁が温水供給管１６に設置されていないので、給湯器３０の運転スイッチがＯＮされていない状態であっても、蓄熱槽１４に貯留された温水を給湯接続ユニット２０に送出することができるようになっており、給湯器３０の運転スイッチをＯＮした状態でなければ給湯運転を行うことができない従来の給湯システムとは異なり、給湯器３０の運転スイッチをＯＮしない状態であっても、蓄熱槽１４に貯留された温水を利用して給湯運転を行うことができるようになっている。以下、給湯器３０の運転スイッチをＯＮした状態での給湯運転動作について説明した後、給湯器３０の運転スイッチがＯＦＦされている状態での給湯運転動作について説明する。
【００２８】
まず、給湯器３０の運転スイッチをＯＮした状態で給湯運転を行う場合は、蓄熱槽１４から送出される温水の温度、即ち、入湯温度センサ２６によって検出された入湯温度Ｔｓが給湯設定温度Ｔｅまたは自動注湯設定温度Ｔｂ以上の場合は、給湯器３０のバーナーを燃焼させなくても、上水を適宜混合することによって目標温度である給湯設定温度Ｔｅまたは自動注湯設定温度Ｔｂの温水を供給することができるので、給湯接続ユニット２０のコントローラ２０ａが給湯器３０のコントローラ３０ａにバーナーの燃焼停止指令を出力すると共に給湯接続ユニット２０から送出される温水の温度、即ち、出湯温度センサ２８によって検出される出湯温度Ｔｏが目標温度である給湯設定温度Ｔｅまたは自動注湯設定温度Ｔｂになるように、混合調節弁２１を制御する給湯設定温度制御（目標温度制御）を行うようになっている。
【００２９】
一方、入湯温度Ｔｓが給湯設定温度Ｔｅまたは自動注湯設定温度Ｔｂより低い場合は、給湯器３０のバーナーを燃焼させなければ、目標温度である給湯設定温度Ｔｅまたは自動注湯設定温度Ｔｂの温水を供給することができないので、給湯接続ユニット２０のコントローラ２０ａが給湯器３０のコントローラ３０ａにバーナーの燃焼開始指令を出力すると共に、給湯器３０のバーナーを燃焼させることによって、確実に目標温度である給湯設定温度Ｔｅまたは自動注湯設定温度Ｔｂの温水を生成することができるように、入湯温度Ｔｓが６０℃以上、６０℃未満３５℃以上、３５℃未満に場合分けし、６０℃以上の場合は４５℃、６０℃未満３５℃以上の場合は３０℃、３５℃未満の場合は２５℃といった固定温度Ｔｆの温水がそれぞれ送出されるように、混合調節弁２１の開度を調整して上水を混合する固定温度制御（目標温度制御）を行うようになっている。
【００３０】
これに対して、給湯器３０の運転スイッチがＯＦＦされている状態で給湯運転を行う場合は、給湯器３０の運転スイッチをＯＦＦする直前に設定されていた給湯設定温度Ｔｅを目標温度に設定し、出湯温度Ｔｏが目標温度になるように、混合調節弁２１を制御する目標温度制御を行うことになる。ただし、この給湯運転モードでは、給湯器３０のバーナーを燃焼させることができないので、入湯温度Ｔｓが目標温度を下回っている場合は、蓄熱槽１４に貯留された温水がそのままの温度状態で供給されることになり、入湯温度Ｔｓが目標温度以上の場合は、その目標温度に調整された温水が供給されることになる。
【００３１】
従って、蓄熱槽１４に貯留されている温水の温度が給湯設定温度Ｔｅを僅かに下回っているような場合には、給湯器３０の運転スイッチをＯＮすることなく給湯を行うことによって、あえて、給湯器３０のバーナーを燃焼させなくても、給湯設定温度Ｔｅに近い温度状態の温水を供給することができ、蓄熱槽１４に貯留された温水を最大限に利用した省エネルギ運転を行うことができる。
【００３２】
また、給湯接続ユニット２０は、蓄熱槽１４から送出される温水に上水を混合することによって、可能な限り目標温度の温水を生成するので、蓄熱槽１４に目標温度以上の温水が貯留されている状態で、給湯器３０の運転スイッチをＯＮすることなく給湯を行った場合でも、目標温度以上の温水が供給されることはない。
【００３３】
さらに、給湯器３０の運転スイッチをＯＦＦした状態で給湯運転を行う場合であっても、運転スイッチをＯＮした状態でユーザが予め給湯設定温度Ｔｅをお好みの温度に設定しておくことで、少なくとも、その温度以上の温水が蓄熱槽１４に貯留されている場合は、ユーザのお好みの温度で給湯を行うことが可能となる。
【００３４】
ただし、給湯器３０の運転スイッチをＯＦＦする直前の給湯設定温度Ｔｅが高温（例えば、６０℃以上）に設定されている場合は、ユーザが高温設定になっていることを確認することなく給湯を開始するおそれがあるので、その場合は、給湯設定温度Ｔｅを下回る所定温度（例えば、４８℃）に目標温度が自動的に変更され、これによって、ユーザが意識しない高温出湯を確実に防止するようになっている。
【００３５】
また、上述したように、給湯器３０の運転スイッチをＯＦＦした状態で、蓄熱槽１４に貯留された温水を利用した給湯運転を行うことができるようにしたことに伴い、給湯中に給湯器３０の運転スイッチが操作された場合には、給湯温度が大きく変動するおそれがある。
【００３６】
即ち、給湯器３０の運転スイッチをＯＦＦする直前の給湯設定温度Ｔｅが高温（例えば、６０℃以上）に設定されていたため、給湯器３０の運転スイッチをＯＦＦした状態では、給湯設定温度Ｔｅを下回る所定温度（例えば、４８℃）に目標温度が設定されており、こういった給湯設定温度Ｔｅより低い目標温度の温水が供給されているような場合に運転スイッチがＯＮされると、給湯器３０が加熱することによって高温に設定されている給湯設定温度Ｔｅ（この場合、６０℃以上）の温水が供給され始め、給湯温度が４８℃から６０℃以上に突然上昇することになる。
【００３７】
逆に、給湯設定温度Ｔｅが５０℃に、浴槽への自動注湯設定温度Ｔｂが４０℃にそれぞれ設定されており、給湯器３０の運転スイッチをＯＮして浴槽への自動注湯を行いながらカラン等から給湯を行っていたため、給湯設定温度Ｔｅより低い自動注湯設定温度Ｔｂ（この場合、４０℃）の温水がカラン等から供給されているような状態で、運転スイッチがＯＦＦされると、蓄熱槽１４に給湯設定温度Ｔｅ以上の温水が貯留されている場合は、運転スイッチがＯＦＦされる直前に設定されていた給湯設定温度Ｔｅ（この場合、５０℃）の温水が供給され始め、給湯温度が４０℃から５０℃に突然上昇することになる。
【００３８】
そこで、この給湯システム１では、給湯中に運転スイッチが操作された場合でも、給湯温度が変動しないように、適切な給湯運転動作を行うようになっている。以下、その場合の給湯運転動作について、図２に示すフローチャートを参照しながら詳細に説明する。
【００３９】
まず、図２に示すように、給湯器３０の運転スイッチ信号が切り替わると（ステップＳ１）、運転スイッチがＯＦＦされたか否かを判断する（ステップＳ２）。ここで、運転スイッチがＯＦＦされた場合は、運転スイッチがＯＦＦされた時点で水流信号がＯＮされているか否か、即ち、給湯中に運転スイッチがＯＦＦされたか否かを判断し（ステップＳ３）、給湯が停止された状態で運転スイッチがＯＦＦされた場合は、目標温度を給湯設定温度Ｔｅに設定する（ステップＳ６）。
【００４０】
従って、その後に給湯が開始されると、運転スイッチがＯＦＦされる直前に自動注湯を行っていた場合、即ち、自動注湯設定温度Ｔｂの温水が供給されていた場合であっても、運転スイッチがＯＦＦされる直前に設定されていた給湯設定温度Ｔｅの温水が供給されることになる。
【００４１】
一方、ステップＳ３において、給湯中に運転スイッチがＯＦＦされた場合は、さらに、給湯が継続されているか否か（水流信号がＯＮされているか否か）を判断し（ステップＳ４）、運転スイッチがＯＦＦされた後も給湯が継続されている場合は、運転スイッチがＯＮされていたときに設定されていた目標温度を変更することなく、その目標温度の温水が継続して供給されるように目標温度制御を継続し（ステップＳ５）、ステップＳ４において、給湯が停止されると、目標温度を給湯設定温度Ｔｅに設定する（ステップＳ６）。
【００４２】
従って、運転スイッチがＯＦＦされる直前に自動注湯を行っていた場合、即ち、自動注湯設定温度Ｔｂの温水が供給されていた場合には、給湯が停止されるまでの間は、自動注湯設定温度Ｔｂの温水が継続して供給されることになり、給湯中に運転スイッチがＯＦＦされても、給湯温度が変動することはない。
【００４３】
ステップＳ２において、運転スイッチがＯＮされた場合は、運転スイッチがＯＮされた時点で水流信号がＯＮされているか否か、即ち、給湯中に運転スイッチがＯＮされたか否かを判断し（ステップＳ７）、給湯が停止された状態で運転スイッチがＯＮされた場合は、目標温度を給湯設定温度Ｔｅに設定する（ステップＳ１０）。
【００４４】
従って、給湯設定温度Ｔｅが高温（例えば、６０℃以上）に設定されていたため、運転スイッチがＯＮされるまでは、給湯設定温度Ｔｅを下回る所定温度（例えば、４８℃）の温水が供給されていた場合であっても、その後に給湯が開始されると、高温設定されている給湯設定温度（この場合、６０℃以上）の温水が供給されることになる。
【００４５】
一方、ステップＳ７において、給湯中に運転スイッチがＯＮされた場合は、さらに、給湯が継続されているか否か（水流信号がＯＮされているか否か）を判断し（ステップＳ８）、運転スイッチがＯＮされた後も給湯が継続されている場合は、運転スイッチがＯＦＦされていたときに設定されていた目標温度を変更することなく、その目標温度の温水が継続して供給されるように目標温度制御を継続し（ステップＳ９）、ステップＳ８において、給湯が停止されると、目標温度を給湯設定温度Ｔｅに設定する（ステップＳ１０）。
【００４６】
従って、給湯設定温度Ｔｅが高温（例えば、６０℃以上）に設定されていたため、運転スイッチがＯＦＦされていた状態では、給湯設定温度Ｔｅを下回る所定温度（例えば、４８℃）の温水が供給されていた場合には、給湯が停止されるまでの間は、その所定温度（この場合、４８℃）の温水が継続して供給されることになり、給湯中に運転スイッチがＯＮされても、給湯温度が変動することはない。
【００４７】
なお、この給湯システム１では、上述したように、給湯中に給湯器３０の運転スイッチが操作された場合は、給湯が停止されるまでの間、単に、運転スイッチ操作前の目標温度をそのまま維持するようにしているだけであるが、例えば、給湯器３０の運転スイッチをＯＦＦする直前の給湯設定温度Ｔｅはある程度高い温度（例えば、５０℃）に設定されていたが、偶然にも蓄熱槽１４には給湯設定温度Ｔｅを下回る使用に適した温度（例えば、４０℃）の温水が貯留されていたため、給湯器３０の運転スイッチをＯＮすることなく快適に給湯を行っているような状態で、給湯器３０の運転スイッチがＯＮされると、給湯器３０のバーナーが燃焼を開始することによって給湯設定温度Ｔｅ（この場合、５０℃）の温水が供給され始め、給湯温度が４０℃から５０℃に突然上昇することになるので、給湯器３０の運転スイッチがＯＦＦされた状態で、目標温度を下回る温度の温水が供給されている場合は、給湯器３０の運転スイッチがＯＮされた時点から給湯が停止されるまでの間は、給湯器３０の運転スイッチがＯＮされる直前の出湯温度Ｔｏを目標温度に設定することによって、給湯温度が変動しないようにしておくことが望ましい。
【００４８】
また、こういった給湯システムでは、温度センサ、混合調節弁等のソーラー系統に異常が発生した場合は、蓄熱槽に貯留された温水を利用しない給湯運転に強制的に切り替える安全動作を行うようになっており、かかる安全動作は、給湯器の操作リモコンの運転スイッチをＯＦＦ、ＯＮすることによってリセットされるのが一般的である。
【００４９】
ところで、従来の給湯システムでは、給湯器の運転スイッチをＯＦＦした状態では、給湯運転を行うことができなかったため、単に、給湯器の運転スイッチをＯＦＦ、ＯＮすることによって安全動作をリセットさせるようにしても、特に、問題が発生することはなかったが、この給湯システム１では、給湯器３０の運転スイッチをＯＦＦした状態でも、給湯運転を行うことができるようにしたため、例えば、給湯器３０の運転スイッチをＯＦＦした状態で給湯を行っているときに、給湯器３０の運転スイッチがＯＮされることによって安全動作がリセットされると、再度、ソーラー系統の異常を検出するまでは、高温の温水が供給されるおそれがある。
【００５０】
そこで、この給湯システム１では、給湯中に給湯器３０の運転スイッチが操作されても安全動作がリセットされないようになっている。以下、安全動作のリセット方法について、図３に示すフローチャートを参照しながら詳細に説明する。
【００５１】
まず、図３に示すように、給湯接続ユニット２０が安全動作に切り替わると（ステップＳ２１）、水流信号がＯＦＦされたか否か、即ち、給湯が停止されたか否かを判断し（ステップＳ２２）、給湯が停止されていない場合は安全動作を継続する。
【００５２】
一方、ステップＳ２２において、給湯が停止された場合は、続いて、給湯器３０の運転スイッチがＯＮ状態からＯＦＦされたか否かを判断し（ステップＳ２３）、給湯器３０の運転スイッチがＯＦＦされない場合は、ステップＳ２２に移行して安全動作を継続し、給湯器３０の運転スイッチがＯＦＦされた場合は安全動作をリセットする（ステップＳ２４）。
【００５３】
以上のように、この給湯システム１では、給湯を停止した後、給湯器３０の運転スイッチをＯＦＦしない限り安全動作をリセットしないようにしたので、給湯中に安全動作がリセットされることはなく、給湯中に高温の温水が供給されることはない。
【００５４】
なお、この給湯システム１では、給湯器３０の運転スイッチがＯＦＦされているときの目標温度を、給湯器３０の運転スイッチがＯＦＦされる直前の給湯設定温度Ｔｅに設定するようにしているが、これに限定されるものではなく、ユーザに危険の及ばない固定温度（例えば、４８℃）に設定することも可能である。
【００５５】
また、上述した実施形態では、給湯中に給湯器３０の運転スイッチが操作された場合は、給湯が停止されるまでの間、運転スイッチ操作前の目標温度をそのまま維持することによって、給湯温度の変動を防止するようにしているが、例えば、給湯器３０の運転スイッチがＯＦＦの状態で給湯を行っている場合において、給湯器３０の運転スイッチがＯＮされると、混合調節弁２１を全閉または予め設定された所定開度まで強制的に閉弁させたり、給湯器３０の運転スイッチがＯＮされた時点における弁開度から予め設定された所定開度だけ強制的に閉弁させたりすることによって一時的に給湯温度を下げることで、その後に給湯温度が変動する可能性があることをユーザに知らせ、その後の給湯温度の変動に適切に対処させるようにすることも可能である。
【００５６】
また、給湯温度を一時的に下げるだけでは、必ずしも、ユーザに対して注意を喚起することになるとは限らないので、給湯器３０の運転スイッチがＯＦＦの状態で給湯を行っている場合において、給湯器３０の運転スイッチがＯＮされると、給湯温度が変動するおそれがある旨を音声やブザー等によって直接的にユーザに報知した後、給湯器３０のバーナーの燃焼開始を所定時間だけ遅らせるようにしておくと、給湯温度が変動する可能性があることをユーザが確実に認識することができ、その後の給湯温度の変動に適切に対処するための時間的余裕をユーザに与えることができる。
【００５７】
また、上述した実施形態では、給湯を停止した後、給湯器３０の運転スイッチをＯＦＦしない限り安全動作をリセットしないようになっているが、これに限定されるものではなく、例えば、給湯器３０の運転スイッチがＯＦＦされた後、給湯を停止した時点で安全動作をリセットしたり、給湯器３０の運転スイッチがＯＦＦの状態でソーラー系統に異常が検出され、その時点で安全動作モードに切り替わっている場合は、その後に給湯器３０の運転スイッチがＯＮされた時点で安全動作をリセットするようにしてもよい。
【００５８】
また、上述した実施形態では、従来の給湯システムのように、温水供給管１６に電磁弁を設置する代わりに、給水管２２と温水配管２３とを相互に接続する、電磁弁２５が設置されたバイパス管２４を設ける構成を採用しているが、これに限定されるものではなく、温水供給管１６に電磁弁を設置した場合であっても、給湯器３０の運転スイッチがＯＦＦされたときに温水供給管１６の流路を遮断しないようにしておくことによって、本発明の給湯システムを適用することができることはいうまでもない。
【００５９】
また、上述した実施形態は、太陽熱利用温水器を補助熱源として使用した給湯システムであるが、給湯システムにおける補助熱源は、こういった太陽熱利用温水器に限定されるものではなく、例えば、コージェネレーションシステムにおけるガスエンジンやガスタービンの廃熱を補助熱源として使用した給湯システムのように、種々の補助熱源を使用した給湯システムについて、本発明を適用することができることはいうまでもない。
【図面の簡単な説明】
【図１】この発明にかかる給湯システムの一実施形態を示す概略構成図である。
【図２】同上の給湯システムにおいて、給湯中に運転スイッチが操作された場合の給湯運転動作を示すフローチャートである。
【図３】同上の給湯システムにおける安全動作のリセット方法を示すフローチャートである。
【図４】従来の給湯システムを示す概略構成図である。
【符号の説明】
１  給湯システム
１０  太陽熱利用温水器
１４  蓄熱槽
１６  温水供給管
２０  給湯接続ユニット
２０ａ  コントローラ
２１  混合調節弁
２２  給水管
２３  温水配管
２４  バイパス管
２５  電磁弁
２６  入湯温度センサ
２７  上水温度センサ
２８  出湯温度センサ
３０  給湯器
３０ａ  コントローラ
３１  熱交換器
４０  操作リモコン
４０ａ  コントローラ
【図１】
0003714209.tif 000002
【図２】
0003714209.tif 000003
【図３】
0003714209.tif 000004
【図４】
0003714209.tif 000005